(57)【要約】【課題】利用シーンに応じて適切な情報を利用者に提示することができる情報配信システム等を提供すること【解決手段】情報配信装置１０は、移動端末１００の利用者毎にその利用シーンに対応して予め定められ情報検索の条件と検索結果の編集条件を含むシナリオ情報を選択するシナリオ選択部１０６と、シナリオ情報に基づいて検索条件を生成し情報検索を実行する検索条件送出部１０７と、情報検索の結果得られた情報をシナリオ情報に基づいて編集し編集ドキュメントを生成するドキュメント編集部１０９と、編集ドキュメントを移動端末へ送信する情報配信部１１３とを備えている【選択図】図１
2008021042.tif 000002
【特許請求の範囲】
【請求項１】
移動端末の利用者毎にその利用シーンに対応して予め定められ情報検索の条件と検索結果の編集条件を含むシナリオ情報を選択するシナリオ選択部と、
前記シナリオ情報に基づいて検索条件を生成し情報検索を実行する検索条件送出部と、
前記情報検索の結果得られた情報を前記シナリオ情報に基づいて編集し編集ドキュメントを生成するドキュメント編集部と、
前記編集ドキュメントを前記移動端末へ送信する情報配信部とを備えたことを特徴とした情報配信装置。
【請求項２】
前記利用シーンを定義する情報と前記シナリオ情報を前記移動端末から受信し、これらの情報をデータベースに格納する情報登録受け付け部を備えたことを特徴とした請求項１に記載の情報配信装置。
【請求項３】
前記シナリオ情報に基づいて広告コンテンツを選択し、その広告コンテンツへのリンクを前記編集ドキュメントに埋め込む広告埋め込み部を備えたことを特徴とした請求項１または請求項２に記載の情報配信装置。
【請求項４】
前記利用者毎に時間帯と前記利用者の生活パターンを対応付けて記憶する時間帯パターンテーブルと、
前記移動端末から前記プレゼンス情報を受信しその移動端末の利用者を特定する情報と対応付けてプレゼンス管理テーブルに格納する移動通知受け付け部とを備え、
前記シナリオ選択部は、前記時間帯パターンテーブルと前記プレゼンス管理テーブルに基づいて前記利用シーンを特定することを特徴とした請求項１ないし請求項３のいずれかひとつに記載の情報配信装置。
【請求項５】
前記シナリオ選択部は、前記移動端末から前記移動端末が固定電話網と携帯電話網との間の接続切り替えが可能となった旨の通知を受け付けたときに作動し、
前記編集ドキュメントに前記通知を受け付けた旨の情報を埋め込む通知埋め込み部を備えたことを特徴とした請求項１ないし請求項４のいずれかひとつに記載の情報配信装置。
【請求項６】
前記移動端末から前記リンクを経由してそのリンクに対応する前記広告コンテンツが参照された旨の参照通知を受信する参照通知受け付け部と、
前記参照通知に基づいて前記広告コンテンツの提供者が前記情報配信装置の運用者に広告料金を支払うための課金処理を行う課金処理部とを備えたことを特徴とした請求項３ないし請求項５のいずれかひとつに記載の情報配信装置。
【請求項７】
利用者により携行される移動端末と、情報収集を行い収集した情報を前記移動端末に配信する情報配信装置とを備えた情報配信システムにおいて、
前記情報配信装置は、
前記移動端末から情報収集要求を受信したときに作動し、移動端末の利用者毎にその利用シーンに対応して予め定められ情報検索の条件と検索結果の編集条件を含むシナリオ情報を選択するシナリオ選択部と、
前記シナリオ情報に基づいて検索条件を生成し情報検索を実行する検索条件送出部と、
前記情報検索の結果得られた情報を前記シナリオ情報に基づいて編集し編集ドキュメントを生成するドキュメント編集部と、
前記編集ドキュメントを前記移動端末へ送信する情報配信部とを備え、
前記移動端末は、
前記情報収集要求を前記情報配信装置に送信する情報収集要求送信部と、
前記編集ドキュメントを受信し、これを表示装置に表示する情報表示部とを備えたことを特徴とした情報配信システム。
【請求項８】
前記情報配信装置は、
前記利用シーンを定義する情報と前記シナリオ情報を前記移動端末から受信し、これらの情報をデータベースに格納する情報登録受け付け部を備え、
前記移動端末は、前記利用シーンを定義する情報と前記シナリオ情報を前記情報配信装置に送信する情報登録部を備えたことを特徴とした請求項７に記載の情報配信システム。
【請求項９】
前記情報配信装置は、
前記シナリオ情報に基づいて広告コンテンツを選択し、その広告コンテンツへのリンクを前記編集ドキュメントに埋め込む広告埋め込み部を備えたことを特徴とした請求項７または請求項８に記載の情報配信システム。
【請求項１０】
前記移動端末は、
前記移動端末の利用者のプレゼンス情報を前記情報配信装置に送信するプレゼンス情報送信部を備え、
前記情報配信装置は、
前記利用者毎に時間帯と前記利用者の生活パターンを対応付けて記憶する時間帯パターンテーブルと、
前記移動端末から前記プレゼンス情報を受信しその移動端末の利用者を特定する情報と対応付けてプレゼンス管理テーブルに格納する移動通知受け付け部とを備え、
前記シナリオ選択部は、前記時間帯パターンテーブルと前記プレゼンス管理テーブルに基づいて前記利用シーンを特定することを特徴とした請求項７ないし請求項９のいずれかひとつに記載の情報配信システム。
【請求項１１】
前記移動端末は、固定電話網と携帯電話網の両方に接続可能なものであり、使用する通信回線を前記固定電話網と前記携帯電話網との間で切り替えたときに、その旨示す切替通知を前記情報配信装置に送信する切替通知送信部を備え、
前記シナリオ選択部は、前記切替通知を受信したときに作動し、
前記情報配信装置は、前記編集ドキュメントに前記切替通知を受信した旨の情報を埋め込む通知埋め込み部を備えたことを特徴とした請求項７ないし請求項１０のいずれかひとつに記載の情報配信システム。
【請求項１２】
前記情報配信装置は、
前記移動端末から前記リンクを経由してそのリンクに対応する前記広告コンテンツが参照された旨の参照通知を受信する参照通知受け付け部と、
前記参照通知に基づいて前記広告コンテンツの提供者が前記情報配信装置の運用者に広告料金を支払うための課金処理を行う課金処理部とを備え、
前記移動端末は、前記編集ドキュメントに含まれる広告のリンクを経由して前記広告が参照されたときに前記参照通知を前記情報配信装置に送信する参照通知送信部を備えたことを特徴とした請求項９ないし請求項１１のいずれかひとつに記載の情報配信システム。
【請求項１３】
移動端末の利用者毎にその利用シーンに対応して予め定められ情報検索の条件と検索結果の編集条件を含むシナリオ情報を選択するシナリオ選択工程と、
前記シナリオ情報に基づいて検索条件を生成し情報検索を実行する検索条件送出工程と、
前記情報検索の結果得られた情報を前記シナリオ情報に基づいて編集し編集ドキュメントを生成するドキュメント編集工程と、
前記編集ドキュメントを前記移動端末へ送信する情報配信工程とを備えたことを特徴とした情報配信方法。
【請求項１４】
前記利用シーンを定義する情報と前記シナリオ情報を前記移動端末から受信し、これらの情報をデータベースに格納する情報登録受け付け工程を備えたことを特徴とした請求項１３に記載の情報配信方法。
【請求項１５】
前記シナリオ情報に基づいて広告コンテンツを選択し、その広告コンテンツへのリンクを前記編集ドキュメントに埋め込む広告埋め込み工程を備えたことを特徴とした請求項１３または請求項１４に記載の情報配信方法。
【請求項１６】
前記シナリオ選択工程では、前記利用者毎に時間帯と前記利用者の生活パターンを対応付けて記憶する時間帯パターンテーブルと、前記移動端末のプレゼンス情報と前記移動端末の利用者を特定する情報を対応付けて記憶するプレゼンス管理テーブルとに基づいて前記利用シーンを特定することを特徴とした請求項１３ないし請求項１５のいずれかひとつに記載の情報配信方法。
【請求項１７】
前記シナリオ選択工程は、前記移動端末から前記移動端末が固定電話網と携帯電話網との間の接続切り替えが可能となった旨の通知を受け付けたときに作動し、
前記編集ドキュメントに前記通知を受け付けた旨の情報を埋め込む通知埋め込み工程を備えたことを特徴とした請求項１３ないし請求項１６のいずれかひとつに記載の情報配信方法。
【請求項１８】
前記移動端末から前記リンクを経由してそのリンクに対応する前記広告コンテンツが参照された旨の参照通知を受信する参照通知受け付け工程と、
前記参照通知に基づいて前記広告コンテンツの提供者が前記情報配信装置の運用者に広告料金を支払うための課金処理を行う課金処理工程とを備えたことを特徴とした請求項１５ないし請求項１７のいずれかひとつに記載の情報配信方法。
【請求項１９】
コンピュータに、
移動端末の利用者毎にその利用シーンに対応して予め定められ情報検索の条件と検索結果の編集条件を含むシナリオ情報を選択するシナリオ選択処理と、
前記シナリオ情報に基づいて検索条件を生成し情報検索を実行する検索条件送出処理と、
前記情報検索の結果得られた情報を前記シナリオ情報に基づいて編集し編集ドキュメントを生成するドキュメント編集処理と、
前記編集ドキュメントを前記移動端末へ送信する情報配信処理とを実行させることを特徴とした情報配信プログラム。
【請求項２０】
前記コンピュータに、前記利用シーンを定義する情報と前記シナリオ情報を前記移動端末から受信し、これらの情報をデータベースに格納する情報登録受け付け処理を実行させることを特徴とした請求項１９に記載の情報配信プログラム。
【請求項２１】
前記コンピュータに、前記シナリオ情報に基づいて広告コンテンツを選択し、その広告コンテンツへのリンクを前記編集ドキュメントに埋め込む広告埋め込み処理を実行させることを特徴とした請求項１９または請求項２０に記載の情報配信プログラム。
【請求項２２】
前記シナリオ選択処理では、前記利用者毎に時間帯と前記利用者の生活パターンを対応付けて記憶する時間帯パターンテーブルと、前記移動端末のプレゼンス情報と前記移動端末の利用者を特定する情報を対応付けてプレゼンス管理テーブル基づいて前記利用シーンを特定することを特徴とした請求項１９ないし請求項２１のいずれかひとつに記載の情報配信プログラム。
【請求項２３】
前記シナリオ選択処理は、前記移動端末から前記移動端末が固定電話網と携帯電話網との間の接続切り替えが可能となった旨の通知を受け付けたときに実行させ、
前記コンピュータに、前記編集ドキュメントに前記通知を受け付けた旨の情報を埋め込む通知埋め込み処理を実行させることを特徴とした請求項１９ないし請求項２２のいずれかひとつに記載の情報配信プログラム。
【請求項２４】
前記コンピュータに前記移動端末から前記リンクを経由してそのリンクに対応する前記広告コンテンツが参照された旨の参照通知を受信する参照通知受け付け処理と、
前記参照通知に基づいて前記広告コンテンツの提供者が前記情報配信装置の運用者に広告料金を支払うための課金処理を行う課金処理とを実行させることを特徴とした請求項２１ないし請求項２３のいずれかひとつに記載の情報配信プログラム。
【発明の詳細な説明】
【技術分野】
【０００１】
本発明は、端末装置の要求に応じて情報を収集し配信する技術に関し、特に利用シーンに応じて適切な情報を利用者に提示することができる情報配信システム等に関する。
【背景技術】
【０００２】
インターネット上に公開されている検索エンジンを用いた情報検索は広く普及しているが、利用者が真に必要とする情報を得るには多大な労力を要する場合もある。例えば、検索条件によっては膨大な数の候補がリストアップされ、その絞込みに手間がかかったり、逆にまったくヒットするサイトがなく、検索キーワードや検索エンジンを変えて再度検索しなければならなかったりする場合がある。
【０００３】
特許文献１には、利用者が目的の情報を入手し易くすることを目的とした情報検索システムが記載されている。
この情報検索システムでは、検索に使用したキーワード等の検索に関連する情報を、サーバ側でシステム利用者の識別情報毎に記憶し、この記憶された検索情報に基づいて検索結果を加工することで、システム利用者が目的の情報を入手し易くすることを図っている。
【０００４】
【特許文献１】特開２００２−２３６６９９号公報
【発明の開示】
【発明が解決しようとする課題】
【０００５】
利用者が必要とする情報は、利用シーン、例えば、利用者が勤務中であるか否か、インターネットにアクセスするために利用できる通信回線の種類等によって異なる。
しかし、上記の従来技術では、利用シーンに応じた適切な検索結果を利用者に提示することができなかった。
【０００６】
そこで、本発明は、利用シーンに応じて適切な情報を利用者に提示することができる情報配信システム等を提供することを目的とする。
【課題を解決するための手段】
【０００７】
本発明の情報配信装置は、移動端末の利用者毎にその利用シーンに対応して予め定められ情報検索の条件と検索結果の編集条件を含むシナリオ情報を選択するシナリオ選択部と、シナリオ情報に基づいて検索条件を生成し情報検索を実行する検索条件送出部と、情報検索の結果得られた情報をシナリオ情報に基づいて編集し編集ドキュメントを生成するドキュメント編集部と、編集ドキュメントを移動端末へ送信する情報配信部とを備えている（請求項１ないし請求項６）。ここで、「検索の実行」には、キーワード等の検索条件を外部の検索エンジン等に送信し検索結果を受信することと、検索を自ら実行し検索結果を生成することの両方を含む。
【０００８】
上記情報配信装置によれば、利用シーン毎に定められたシナリオ情報に基づいて検索を実行するとともに、検索結果を編集して移動端末に配信する。
そのため、利用シーンに応じて適切な情報を利用者に提示することができる。
【０００９】
上記情報配信装置において、利用シーンを定義する情報とシナリオ情報を移動端末から受信し、これらの情報をデータベースに格納する情報登録受け付け部を備えるようにしてもよい（請求項２）。
このようにすれば、利用者は、自分にとって適切な利用シーンとシナリオ情報をカスタマイズし、それを随時情報配信装置に登録することができる。
【００１０】
上記情報配信装置において、シナリオ情報に基づいて広告コンテンツを選択し、その広告コンテンツへのリンクを編集ドキュメントに埋め込む広告埋め込み部を備えるようにしてもよい（請求項３）。
このようにすれば、利用シーンに応じて収集された情報に関連し、利用者がその使用シーンにおいて興味をもつ可能性が高い広告を配信し、広告効果を高めることができる。
【００１１】
上記情報配信装置において、利用者毎に時間帯と利用者の生活パターンを対応付けて記憶する時間帯パターンテーブルと、移動端末からプレゼンス情報を受信しその移動端末の利用者を特定する情報と対応付けてプレゼンス管理テーブルに格納する移動通知受け付け部とを備え、シナリオ選択部は、時間帯パターンテーブルとプレゼンス管理テーブルに基づいて利用シーンを特定するようにしてもよい（請求項４）。
このようにすれば、利用シーンを判定するために必要な情報を自動的に収集することができる。
【００１２】
上記情報配信装置において、シナリオ選択部は、移動端末から移動端末が固定電話網と携帯電話網との間の接続切り替えが可能となった旨の通知を受け付けたときに作動し、編集ドキュメントに通知を受け付けた旨の情報を埋め込む通知埋め込み部を備えるようにしてもよい（請求項５）。
このようにすれば、例えば、ＦＭＣ（Fixed Mobile Convergence）サービスが利用可能になったことを契機として利用者に利用シーンに応じた適切な情報を提示することができる。
【００１３】
上記情報配信装置において、移動端末からリンクを経由してそのリンクに対応する広告コンテンツが参照された旨の参照通知を受信する参照通知受け付け部と、参照通知に基づいて広告コンテンツの提供者が情報配信装置の運用者に広告料金を支払うための課金処理を行う課金処理部とを備えようにしてもよい（請求項６）。
このようにすれば、情報配信装置の運用者が、配信した広告の閲覧実績に応じて収益を得ることができるビジネスモデルを構築することができる。
【００１４】
本発明の情報配信システムは、利用者により携行される移動端末と、情報収集を行い収集した情報を移動端末に配信する情報配信装置とを備えている。
情報配信装置は、移動端末から情報収集要求を受信したときに作動し、移動端末の利用者毎にその利用シーンに対応して予め定められ情報検索の条件と検索結果の編集条件を含むシナリオ情報を選択するシナリオ選択部と、シナリオ情報に基づいて検索条件を生成し情報検索を実行する検索条件送出部と、情報検索の結果得られた情報をシナリオ情報に基づいて編集し編集ドキュメントを生成するドキュメント編集部と、  編集ドキュメントを移動端末へ送信する情報配信部とを備えている。
移動端末は、情報収集要求を情報配信装置に送信する情報収集要求送信部と、編集ドキュメントを受信し、これを表示装置に表示する情報表示部とを備えている（請求項７ないし請求項１２）。
【００１５】
上記情報配信システムによれば、利用シーン毎に定められたシナリオ情報に基づいて検索を実行するとともに、検索結果を編集して移動端末に配信する。
そのため、利用シーンに応じて適切な情報を利用者に提示することができる。
【００１６】
上記情報配信システムにおいて、情報配信装置は、利用シーンを定義する情報とシナリオ情報を移動端末から受信し、これらの情報をデータベースに格納する情報登録受け付け部を備え、移動端末は、利用シーンを定義する情報とシナリオ情報を情報配信装置に送信する情報登録部を備えようにしてもよい（請求項８）。
このようにすれば、利用者は、自分にとって適切な利用シーンとシナリオ情報をカスタマイズし、それを随時情報配信装置に登録することができる。
【００１７】
上記情報配信システムにおいて、情報配信装置は、シナリオ情報に基づいて広告コンテンツを選択し、その広告コンテンツへのリンクを編集ドキュメントに埋め込む広告埋め込み部を備えるようにしてもよい（請求項９）。
このようにすれば、利用シーンに応じて収集された情報に関連し、利用者がその使用シーンにおいて興味をもつ可能性が高い広告を配信し、広告効果を高めることができる。
【００１８】
上記情報配信システムにおいて、移動端末は、移動端末の利用者のプレゼンス情報を情報配信装置に送信するプレゼンス情報送信部を備え、情報配信装置は、利用者毎に時間帯と利用者の生活パターンを対応付けて記憶する時間帯パターンテーブルと、移動端末からプレゼンス情報を受信しその移動端末の利用者を特定する情報と対応付けてプレゼンス管理テーブルに格納する移動通知受け付け部とを備え、シナリオ選択部は、時間帯パターンテーブルとプレゼンス管理テーブルに基づいて利用シーンを特定するようにしてもよい（請求項１０）。
このようにすれば、利用シーンを判定するために必要な情報を自動的に収集することができる。
【００１９】
上記情報配信システムにおいて、移動端末は、固定電話網と携帯電話網の両方に接続可能なものであり、使用する通信回線を固定電話網と携帯電話網との間で切り替えたときに、その旨示す切替通知を情報配信装置に送信する切替通知送信部を備え、シナリオ選択部は、切替通知を受信したときに作動し、情報配信装置は、編集ドキュメントに切替通知を受信した旨の情報を埋め込む通知埋め込み部を備えるようにしてもよい（請求項１１）。
このようにすれば、例えば、ＦＭＣサービスが利用可能になったことを契機として利用者に利用シーンに応じた適切な情報を提示することができる。
【００２０】
上記情報配信システムにおいて、情報配信装置は、移動端末からリンクを経由してそのリンクに対応する広告コンテンツが参照された旨の参照通知を受信する参照通知受け付け部と、参照通知に基づいて広告コンテンツの提供者が情報配信装置の運用者に広告料金を支払うための課金処理を行う課金処理部とを備え、移動端末は、編集ドキュメントに含まれる広告のリンクを経由して広告が閲覧されたときに参照通知を情報配信装置に送信する参照通知送信部を備えるようにしてもよい（請求項１２）。
このようにすれば、情報配信装置の運用者が、配信した広告の閲覧実績に応じて収益を得ることができるビジネスモデルを構築することができる。
【００２１】
本発明の情報配信方法は、移動端末の利用者毎にその利用シーンに対応して予め定められ情報検索の条件と検索結果の編集条件を含むシナリオ情報を選択するシナリオ選択工程と、シナリオ情報に基づいて検索条件を生成し情報検索を実行する検索条件送出工程と、情報検索の結果得られた情報をシナリオ情報に基づいて編集し編集ドキュメントを生成するドキュメント編集工程と、編集ドキュメントを移動端末へ送信する情報配信工程とを備えている（請求項１３ないし請求項１８）。
【００２２】
上記情報配信方法によれば、利用シーン毎に定められたシナリオ情報に基づいて検索を実行するとともに、検索結果を編集して移動端末に配信する。
そのため、利用シーンに応じて適切な情報を利用者に提示することができる。
【００２３】
上記情報配信方法において、利用シーンを定義する情報とシナリオ情報を移動端末から受信し、これらの情報をデータベースに格納する情報登録受け付け工程を備えるようにしてもよい（請求項１４）。
このようにすれば、利用者は、自分にとって適切な利用シーンとシナリオ情報をカスタマイズし、それを随時情報配信装置に登録することができる。
【００２４】
上記情報配信方法において、シナリオ情報に基づいて広告コンテンツを選択し、その広告コンテンツへのリンクを編集ドキュメントに埋め込む広告埋め込み工程を備えるようにしてもよい（請求項１５）。
このようにすれば、利用シーンに応じて収集された情報に関連し、利用者がその使用シーンにおいて興味をもつ可能性が高い広告を配信し、広告効果を高めることができる。
【００２５】
上記情報配信方法において、シナリオ選択工程では、利用者毎に時間帯と利用者の生活パターンを対応付けて記憶する時間帯パターンテーブルと、移動端末のプレゼンス情報と移動端末の利用者を特定する情報を対応付けて記憶するプレゼンス管理テーブルとに基づいて利用シーンを特定するようにしてもよい（請求項１６）。
このようにすれば、利用シーンを判定するために必要な情報を自動的に収集することができる。
【００２６】
上記情報配信方法において、シナリオ選択工程は、移動端末から移動端末が固定電話網と携帯電話網との間の接続切り替えが可能となった旨の通知を受け付けたときに作動し、編集ドキュメントに通知を受け付けた旨の情報を埋め込む通知埋め込み工程を備えるようにしてもよい（請求項１７）。
このようにすれば、例えば、ＦＭＣサービスが利用可能になったことを契機として利用者に利用シーンに応じた適切な情報を提示することができる。
【００２７】
上記情報配信方法において、移動端末からリンクを経由してそのリンクに対応する広告コンテンツが参照された旨の参照通知を受信する参照通知受け付け工程と、参照通知に基づいて広告コンテンツの提供者が情報配信装置の運用者に広告料金を支払うための課金処理を行う課金処理工程とを備えるようにしてもよい（請求項１８）。
このようにすれば、情報配信装置の運用者が、配信した広告の閲覧実績に応じて収益を得ることができるビジネスモデルを構築することができる。
【００２８】
本発明の情報配信プログラムは、コンピュータに、移動端末の利用者毎にその利用シーンに対応して予め定められ情報検索の条件と検索結果の編集条件を含むシナリオ情報を選択するシナリオ選択処理と、シナリオ情報に基づいて検索条件を生成し情報検索を実行する検索条件送出処理と、情報検索の結果得られた情報をシナリオ情報に基づいて編集し編集ドキュメントを生成するドキュメント編集処理と、編集ドキュメントを移動端末へ送信する情報配信処理とを実行させる（請求項１９ないし請求項２４）。
【００２９】
上記情報配信プログラムによれば、利用シーン毎に定められたシナリオ情報に基づいて検索を実行するとともに、検索結果を編集して移動端末に配信する。
そのため、利用シーンに応じて適切な情報を利用者に提示することができる。
【００３０】
上記情報配信プログラムにおいて、コンピュータに、利用シーンを定義する情報とシナリオ情報を移動端末から受信し、これらの情報をデータベースに格納する情報登録受け付け処理を実行させるようにしてもよい（請求項２０）。
このようにすれば、利用者は、自分にとって適切な利用シーンとシナリオ情報をカスタマイズし、それを随時情報配信装置に登録することができる。
【００３１】
上記情報配信プログラムにおいて、コンピュータに、シナリオ情報に基づいて広告コンテンツを選択し、その広告コンテンツへのリンクを編集ドキュメントに埋め込む広告埋め込み処理を実行させるようにしてもよい（請求項２１）。
このようにすれば、利用シーンに応じて収集された情報に関連し、利用者がその使用シーンにおいて興味をもつ可能性が高い広告を配信し、広告効果を高めることができる。
【００３２】
上記情報配信プログラムにおいて、シナリオ選択処理では、利用者毎に時間帯と利用者の生活パターンを対応付けて記憶する時間帯パターンテーブルと、移動端末のプレゼンス情報と移動端末の利用者を特定する情報を対応付けてプレゼンス管理テーブル基づいて利用シーンを特定するようにしてもよい（請求項２２）。
このようにすれば、利用シーンを判定するために必要な情報を自動的に収集することができる。
【００３３】
上記情報配信プログラムにおいて、シナリオ選択処理は、移動端末から移動端末が固定電話網と携帯電話網との間の接続切り替えが可能となった旨の通知を受け付けたときに実行させ、コンピュータに、編集ドキュメントに通知を受け付けた旨の情報を埋め込む通知埋め込み処理を実行させるようにしてもよい（請求項２３）。
このようにすれば、例えば、ＦＭＣサービスが利用可能になったことを契機として利用者に利用シーンに応じた適切な情報を提示することができる。
【００３４】
上記情報配信プログラムにおいて、コンピュータに移動端末からリンクを経由してそのリンクに対応する広告コンテンツが参照された旨の参照通知を受信する参照通知受け付け処理と、参照通知に基づいて広告コンテンツの提供者が情報配信装置の運用者に広告料金を支払うための課金処理を行う課金処理とを実行させるようにしてもよい（請求項２４）。
このようにすれば、情報配信装置の運用者が、配信した広告の閲覧実績に応じて収益を得ることができるビジネスモデルを構築することができる。
【発明の効果】
【００３５】
本発明によれば、利用シーン毎に定められたシナリオ情報に基づいて検索を実行するとともに、検索結果を編集して移動端末に配信する。
そのため、利用シーンに応じて適切な情報を利用者に提示することができる。
【発明を実施するための最良の形態】
【００３６】
以下、図を参照しながら本発明の第１の実施形態である関連広告配信システム１の構成と動作について説明する。
図１は、関連広告配信システム１の構成図である。
関連広告配信システム１は、移動端末１００と情報検索エンジン１１５と情報ウェブ１１６、１１７、１１８およびこれら各装置とインターネット１１４を介して通信可能な広告サーバ１０により構成される。
【００３７】
移動端末１００は、例えば、携帯電話機、携帯型のパーソナルコンピュータ、スマートフォン等の通信機能を備え利用者により携行される端末装置である。
情報検索エンジン１１５は、インターネット上に公開されているサーバにより提供される検索エンジンである。情報ウェブ１１６等は、インターネット上に公開されているウェブサーバ等の情報源である。
【００３８】
広告サーバ１０は、実行制御部１０１、ユーザプロファイルデータベース１０２、契約広告登録データベース１０３、シナリオプロファイルデータベース１０４、プレゼンスデータベース１０５、シナリオプロファイル選択制御部１０６、情報収集検索条件送出部１０７、ドキュメント編集部１０８、編集ドキュメント記憶部１０９、広告検索条件送出部１１０、広告埋め込み部１１１、編集ドキュメント情報配信部１１３、課金処理部１１９を備えている。
【００３９】
実行制御部１０１は、後述の各部を制御して情報の検索、編集ドキュメントの生成および配信、課金処理を実行させると共に次の各機能を備えている。
（１）移動端末１００からの情報配信要求を受信し、受信した情報に含まれる認証情報とユーザプロファイルデータベース１０２に記憶されている認証情報を照合して、ユーザ認証を行う。
（２）移動端末１００から情報収集シナリオプロファイルを受信し、シナリオプロファイルデータベース１０４に格納する（情報登録受け付け部としての機能）。
（３）移動端末１００から移動通知を受信し、プレゼンスデータベース１０５に格納する（移動通知受付部としての機能）。
（４）移動端末１００から、後述する編集ドキュメント１０９ａに含まれる広告リンク１０９ｂを経由して広告が参照された旨の参照通知を受信し、課金処理部１１９を起動する（参照通知受け付け部としての機能）。
【００４０】
シナリオプロファイル選択制御部１０６（シナリオ選択部の一例）は、プレゼンス管理テーブル１３３と時間帯パターン登録テーブル１３４を参照し、情報収集要求を受信した時点での利用シーンを利用シーン登録テーブル１３１の中から特定する。そして、その利用シーンに対応するシナリオプロファイル（シナリオ情報の一例）をプロファイル定義テーブル１３２から選択する。
【００４１】
情報収集検索条件送出部１０７（検索条件送出部の一例）は、シナリオプロファイル選択制御部１０６が選択したシナリオプロファイルに基づいて検索条件を生成し、これを情報検索エンジン１１５または情報ウェブ１１６等に送出する。
【００４２】
ドキュメント編集部１０８は、情報収集検索条件送出部１０７が送信した検索条件に対する応答として情報検索エンジン１１５または情報ウェブ１１６等から検索結果を受信し、シナリオプロファイル選択制御部１０６が選択したシナリオプロファイルに基づいて検索結果を編集し編集ドキュメントを作成し、これを編集ドキュメント記憶部１０９に格納する。編集ドキュメントのデータ形式は、例えばＨＴＭＬ(HyperText Markup Language)形式とする。
【００４３】
広告検索条件送出部１１０は、シナリオプロファイル選択制御部１０６が選択したシナリオプロファイルに基づいて、契約広告登録データベース１０３から利用シーンに応じた広告を抽出する。
【００４４】
広告埋め込み部１１１は、広告条件送出部１１０が抽出した広告へのリンクを、例えばハイパーリンクの形で、ドキュメント編集部１０８が作成した編集ドキュメントに埋め込む。すなわち、広告検索条件送出部１１０と広告埋め込み部１１１は、広告埋め込み部の一例である。
【００４５】
編集ドキュメント情報配信部１１３（情報配信部の一例）は、広告へのリンクが埋め込まれた編集ドキュメントを情報収集要求の送信元の移動端末１００に送信する。
【００４６】
編集ドキュメント記憶部１０９は、編集ドキュメントを移動端末１００に送信するまでの間一時的に記憶する。
【００４７】
課金処理部１１９は、実行制御部１０１が移動端末１００から参照通知を受信したときに、例えば、銀行の決済システムに接続して、参照された広告コンテンツの提供者が広告サーバ１０の運用者に広告料金を支払うように課金処理を実行する。このような課金処理は周知の技術であるから、その詳細については説明を省略する。
【００４８】
ユーザプロファイルデータベース１０２は、移動端末１００の利用者の認証情報、たとえば、ユーザＩＤとパスワードを対応付けて記憶するデータベースである。
【００４９】
シナリオプロファイルデータベース１０４は、利用者毎に利用シーンを定義する利用シーン登録テーブル１３１と利用シーン毎に情報収集シナリオプロファイルを定義するプロファイル定義テーブル１３２を格納している。
利用シーンの定義は、利用目的別や利用接続環境別や利用場所別などに応じて利用者毎に定義する。例えば、企業内で業務用無線ＬＡＮ(Local Area Network)に接続し業務目的で利用するシーン、仕事で外出時に移動端末１００をインターネット接続で業務利用するシーン、自宅で移動端末１００を自宅無線ＬＡＮに接続し余暇利用するシーン、個人的外出時に移動端末インターネット接続で個人利用するシーン、等を定義する。
【００５０】
利用シーン登録テーブル１３１の一例を図３に示す。
利用シーン登録テーブル１３１は、利用シーン名、利用シーンＩＤ、利用者ＩＤ、利用シーン概要、起動プレゼンス条件の各フィールドからなる。
利用シーン名は、利用シーンの名称を示す情報である。
利用シーンＩＤは、利用シーンを識別する情報である。利用シーン名が同一であっても異なる利用者の利用シーンには異なる利用シーンＩＤが与えられ、利用シーンＩＤは、利用シーン登録テーブル１３１全体でユニークなものとなっている。
利用者ＩＤは、利用シーンが適用される利用者を識別する情報である。
利用シーン概要は、利用シーンの定義内容を説明する情報である。
起動プレゼンス条件は、移動端末１００から情報収集要求があったときに、広告サーバ１０がその時点の利用シーンを判定するために用いる情報である。複数の条件が記憶されている場合は、それらの条件がすべて満たされる場合に、現在はその利用シーンであると判定する。
利用シーン登録テーブル１３１は、例えば、利用者が移動端末１００を用いて送信した情報を蓄積することにより生成する。
【００５１】
プロファイル定義テーブル１３２の一例を図４に示す。
プロファイル定義テーブル１３２は、利用シナリオプロファイルＩＤ、利用者ＩＤ、利用シーンＩＤ、情報収集シナリオプロファイル定義データ、参照先情報源、情報源ＵＲＬの各フィールドからなる。
利用シナリオプロファイルＩＤは、利用シナリオプロファイルを識別する情報である。
利用者ＩＤは、利用シナリオプロファイルが適用される利用者を識別する情報で、図３の利用者ＩＤと対応している。
利用シーンＩＤは、利用シナリオプロファイルが適用される利用シーンを識別する情報で、図３の利用シーンＩＤと対応している。
情報収集シナリオプロファイル定義データは、対応する利用シーンおける一連の情報収集動作を情報源毎に定義する情報で、収集したい情報のジャンル、必要な場合には検索キーワード、その他の諸条件が登録されている。その他の諸条件としては、例えば、抽出条件、提供順序、情報鮮度、情報形態（テキスト／画像／映像の区分）、表示レイアウト等を登録しておく。情報収集検索条件送出部１０７は、この情報に基づいて検索条件を生成する。
参照先情報は、情報検索の対象となる情報源の名称を示す情報である。
情報源ＵＲＬは、参照先情報源のＵＲＬ(Uniform Resource Locator)である。
以下、情報収集シナリオプロファイル定義データ、参照先情報、情報源ＵＲＬをまとめて「シナリオ情報」と呼ぶことにする。
【００５２】
プレゼンスデータベース１０５は、移動端末１００のプレゼンス履歴を管理するプレゼンス管理テーブル１３３と利用者の生活パターンを記憶する時間帯パターン登録テーブル１３４を格納している。
プレゼンス管理テーブル１３３の一例を図５に示す。
プレゼンス管理テーブル１３４は、利用者ＩＤ、接続状態プレゼンスコード、接続手段、プレゼンス開始情報、プレゼンス終了情報の各フィールドから成る。
利用者ＩＤは、移動端末１００を使用する利用者を識別する情報で図３の利用者ＩＤと対応している。
接続状態プレゼンスコードは、接続状態プレゼンスを識別する情報である。
接続手段は、移動端末が広告サーバ１０に接続するために使用するアクセス回線の種類を示す情報である。複数のアクセス回線を経由して接続する場合には、この情報としては、移動通信端末１００が直接接続している回線の種類を示す。
プレゼンス開始情報とプレゼンス終了情報は、それぞれ、対応する接続状態プレゼンスが開始した日時と終了した日時を示す情報である。
接続手段、プレゼンス開始情報、プレゼンス終了情報の各情報は、移動端末１００のプレゼンス情報送信部１２２により自動的に送信され、これを受信した実行制御部１０１がプレゼンス管理テーブル１３３に格納する。
【００５３】
時間帯パターン登録テーブル１３４の一例を図６に示す。
時間帯パターン登録テーブル１３４は、利用者ＩＤ、生活パターン種別、生活パターン種別名称、開始時刻、終了時刻の各フィールドからなる。
利用者ＩＤは、時間帯パターンが適用される利用者を識別する情報で、図３の利用者ＩＤに対応する。
生活パターン種別は、利用者の生活パターンを識別する情報である。
生活パターン種別名称は、生活パターン種別の名称を示す情報である。
開始時刻と終了時刻は、それぞれ、１日の中で対応する生活パターンが開始する時刻と終了する時刻を示す情報である。
【００５４】
契約広告登録データベース１０３は、コンテンツ登録テーブル１３５を格納している。コンテンツ登録テーブル１３５の一例を図７に示す。
コンテンツ登録テーブル１３５は、広告主ＩＤ、広告宣伝コンテンツＩＤ、広告分野ＩＤ、広告コンテンツカテゴリー・キーワード、広告コンテンツ情報源、広告コンテンツ情報源ＵＲＬの各フィールドから構成されている。
広告主ＩＤは、広告コンテンツを提供する事業者を識別する情報である。
広告宣伝コンテンツＩＤは、個々の広告コンテンツを識別する情報である。
広告分野ＩＤは、広告コンテンツが属する分野を識別する情報である。
広告コンテンツカテゴリー・キーワードは、広告コンテンツの属するカテゴリーまたは検索のためのキーワードである。
広告コンテンツ情報源は、広告コンテンツが格納されている情報源の名称を示す情報である。
広告コンテンツ情報源ＵＲＬは、広告コンテンツ情報源のＵＲＬである。
【００５５】
上記の各部は、広告サーバ１０のＣＰＵ(Central Processing Unit)がコンピュータプログラムを実行して広告サーバ１０のハードウェアを制御することにより実現される。
【００５６】
図１には、広告サーバ１０を１台のサーバコンピュータで構成する例を示したが、複数台のコンピュータにより構成することもできる。例えば、ユーザプロファイルデータベース１０２等のデータベースを広告サーバ１０と接続されたストレージ装置に格納するようにしてもよいし、符号１０１、１０６ないし１１３の各部を複数のサーバコンピュータに適宜分散して実装するようにしてもよい。
【００５７】
移動端末１００は、情報表示部１２１、プレゼンス情報送信部１２２、情報収集要求送信部１２３、参照通知部１２４、情報登録部１２５を備えている。
情報表示部１２１は、情報送信要求に応じて広告サーバ１０から送信された編集ドキュメントを受信し、これを文字や画像等の形式で液晶ディスプレイ装置等の表示装置に表示する。
【００５８】
プレゼンス情報送信部１２２は、移動端末１００の接続環境、すなわち、移動端末１００が広告サーバ１０に接続するために用いている通信回線の種類を、接続環境の変化があったときに自動的に広告サーバ１０に送信する。これは、例えば、移動端末１００に接続状態の変動を検出する常駐ソフトを搭載し、それを動作させることにより実現する。
【００５９】
情報収集要求送信部１２３は、広告サーバ１０に情報収集要求を送信する。情報収集要求には、携帯端末１００の利用者の利用者ＩＤが含まれている。
本実施形態では、シナリオプロファイル選択制御部１０６がプレゼンス情報等に基づいて利用シーンを判定し、それに対応するシナリオプロファイルを選択するようにしているが、利用シナリオプロファイルＩＤ（図４参照）または、利用シーンＩＤ（図３参照）を情報収集要求に含めるようにし、この情報に基づいてシナリオプロファイル選択制御部１０６がシナリオプロファイルを選択するようにしてもよい。
【００６０】
参照通知部１２４は、情報表示部１２１により表示された編集ドキュメントに含まれる広告リンクが選択され、そのリンクに対応する広告コンテンツが参照されたときに、参照通知を広告サーバ１０に送信する。
【００６１】
情報登録部１２５は、移動端末１００の利用者が定義した利用シーンとシナリオ情報を広告サーバ１０に送信する。
【００６２】
次に、関連広告配信システム１の動作について説明する。ユーザプロファイルデータベース１０２、契約広告データベース１０３、シナリオプロファイルデータベース１０４、プレゼンスデータベース１０５には、それぞれテーブルが格納済みであるものとして説明する。また、編集ドキュメントの配信を受ける利用者は、編集ドキュメントに広告リンクが含まれることを予め了承しているものとする。
図２は、関連広告配信システム１の広告配信動作を示すフローチャートである。利用者が移動端末１００から実行制御部１０１に情報収集の要求を送ると、広告サーバ１０は、これをトリガにして認証確認から課金処理に至る一連の処理の流れの制御を行う。
移動端末１００の情報収集要求送信部１２１が認証情報を含む情報収集要求を送信する（Ｓ２０１）。
広告サーバ１０の実行制御部１０１は、これを受信しユーザプロファイルデータベース１０２に格納されている認証情報と受信した認証情報を照合して利用者の認証処理を行う（Ｓ１０１）。認証に成功すると、以下の処理が実行される。
【００６３】
実行制御部１０１は、シナリオプロファイル選択制御部１０６にシナリオ情報の選択を指示する。シナリオプロファイル選択制御部１０６は、プレゼンスデータベース１０５とシナリオプロファイルデータベース１０４を参照して利用シーンを判断する（Ｓ１０２）。具体的には、まず、プレゼンス管理テーブル１３３から情報収集要求の送信元の移動端末１００の移動端末プレゼンス情報を取得する。次に、時間帯パターン登録テーブル１３４を参照し、現在の時刻と受信した利用者ＩＤに基づいて、利用者の現時点の生活パターンを取得する。そして、利用シーン登録テーブル１３１を参照し、受信した利用者ＩＤに対応する利用シーンの中から、起動プレゼンス条件がプレゼンスデータベース１０５から取得した情報に合致するものを、現在の利用シーンであると判断する。
【００６４】
シナリオプロファイル選択制御部１０６は、プロファイル定義テーブル１３２を参照し、Ｓ１０２で判定した利用シーンの利用シーンＩＤに対応する利用シナリオプロファイルＩＤを選択し、これに対応するシナリオ情報を取得する（Ｓ１０３）。
【００６５】
情報収集検索条件送出部１０７は、Ｓ１０３で取得した情報収集シナリオプロファイル定義データを基にして、検索条件を作成し（Ｓ１０４）、それを情報源ＵＲＬにより指定されたインターネット上の情報検索エンジン１１５や情報ウェブ１１６等に宛てて送信し、検索を実行する（Ｓ１０５）。
【００６６】
ドキュメント編集部１０９は、情報検索エンジン１１５等から検索結果を受信し（Ｓ１０８）、Ｓ１０３で取得したシナリオ情報に含まれる編集条件を基に、検索結果情報を編集し編集ドキュメント１０９ａを生成する（Ｓ１０７）。生成した編集ドキュメント１０９ａは、編集ドキュメント記憶部１０９に格納する。
【００６７】
広告検索条件送出部１１０は、Ｓ１０３で取得したシナリオ情報に基づいて、編集ドキュメントにリンクを埋め込む広告コンテンツを検索する（Ｓ１０８）。この処理は、例えば、シナリオ情報に含まれる検索キーワードを契約広告登録データベース１０３に送出し、このキーワードと「広告コンテンツカテゴリー・キーワード」（図７参照）が一致するものを取得する。
【００６８】
広告埋め込み部１１１は、Ｓ１０８で取得した広告コンテンツリンクである広告リンク１０９ｂを編集ドキュメントに埋め込む（Ｓ１０９）。広告リンクは、例えば、編集ドキュメントの最後尾に埋め込む。この埋め込みが完了すると、編集ドキュメント情報は配信可能なドキュメント情報として完成する。
広告埋め込み部１１１は、編集ドキュメント１０９を、編集ドキュメント情報配信部１１３へ渡し、編集ドキュメント情報配信部１１３は、情報収集要求の送信元の移動端末１００へ送信する（Ｓ１１０）。
【００６９】
編集ドキュメントを受信した移動端末１００の情報表示部１２１は、受信した情報を表示装置に表示する（Ｓ２０２）。
利用者が広告リンク１０９ｂを選択し、広告コンテンツを参照すると（Ｓ２０３）、参照通知送信部１２３は、広告サーバ１０へ参照通知を送信する（Ｓ２０４）。
【００７０】
参照通知を受信した広告サーバ１０の実行制御部は、課金処理部１１９を起動し、課金処理部１１９は、課金処理を実行する（Ｓ１１９）。課金処理は、Ｓ２０３で参照された広告コンテンツの広告主が、広告サーバ１０の運用者に所定の料金を支払うように行う。
【００７１】
以上説明したように、広告サーバ１０は、以下に記載するような効果を奏する。
第１の効果は、利用者のシナリオ情報をシナリオプロファイルデータベース１０４に事前登録しておくことにより、移動端末１００の利用状況や利用環境・場所や利用時間帯等により定義される利用シーンに応じた情報の効率的に収集し、これを利用者に提示することができることである。
【００７２】
第２の効果は、移動端末１００の情報登録部１２５を用いて、利用者が利用シーンとシナリオプロファイル情報の定義を登録することができるため、情報収集カスタマイズサービスを提供するプラットフォームを構築できることである。
【００７３】
第３の効果は、効率的情報収集による業務効率化や余暇充実化と、合理的情報収集における広告情報の連携ができることである。
【００７４】
次に、本発明の第２の実施形態である関連広告配信システム２の構成と動作について説明する。関連広告配信システム２は、多くの部分が関連広告配信システム１と共通するので、関連広告配信システム１と異なる部分について説明する。
図８は、関連広告配信システム２の構成図である。関連広告配信システム１と共通する構成要素には、図１と共通する符号を付してある。
携帯端末２００は、ＦＭＣに対応した携帯電話端末であり、携帯電話網と固定電話網の両方に接続することができる。「ＦＭＣ」という語には種々の定義・解釈があるが、ここでは、固定通信と移動通信を融合させたサービスのことをいう。すなわち、固定電話の利点である通話料金が安く、通話品質がよく、接続も携帯電話よりもはるかに信頼性が高い点と、自由に移動できるという携帯電話の利点とを組み合わせて提供するサービスである。
【００７５】
広告サーバ１２の実行制御部２０１は、携帯端末２００から後述するＦＭＣ通知を受信したことを契機として情報収集動作を起動させる。その他の機能は、図１の実行制御部１０１と同様である。
【００７６】
コンテンツ登録テーブル１３５のデータ構造は、関連広告配信システム１と同一であるが、携帯端末２００の表示装置はパーソナルコンピュータと比較すると低解像度・小型のものであるから、これを考慮して作成した広告コンテンツを格納しておくとよい。また、ＦＭＣサービスに対応していない端末装置もサービスの対象とする場合には、とつの広告につき表示装置の解像度に応じて２種類のコンテンツを用意し端末の種類に応じて選択するようにしても良い。
【００７７】
ＦＭＣ受信通知埋め込み部２１１は、広告リンク１０９ｂを埋め込まれた編集ドキュメント１０９ａに、携帯端末２００がＦＭＣ通知を受けた旨の通知文であるＦＭＣ受信通知１０９ｃを埋め込む。
【００７８】
携帯端末２００は、図１の情報収集要求送信部１２３に代わりＦＭＣ通知送信部１２６を備えている。ＦＭＣ通知送信部１２６は、移動端末１００が固定電話網と携帯電話網との間で接続を切り替えたときに、その旨を通知するＦＭＣ通知を広告サーバ１２に送信する。
【００７９】
次に、関連広告配信システム２の動作について説明する。
図９は、関連広告配信システム２の広告配信動作を示すフローチャートである。
携帯端末２００のＦＭＣ通知送信部１２６は、接続する通信回線が固定電話網と携帯電話網との間で切り替わったときにＦＭＣ通知を広告サーバ１２に送信する（Ｓ２２１）。  この通知を受信した広告サーバ１２の実行制御部２０１は、シナリオプロファイル選択制御部１０６を起動する。以降、図２のＳ１０１ないしＳ１０９と同様の手順で、情報収集を実行し、情報検索エンジン１１５等から受信した検索結果を編集して編集ドキュメントを生成する。
次に、ＦＭＣ受信通知埋め込み部２１１は、編集ドキュメント記憶部１０９に記憶された編集ドキュメント１０８ａにＦＭＣ受信通知１０９ｂを埋め込む（Ｓ２０２）。
以降、図２のＳ１１０ないしＳ１１１と同様の処理を実行する。
【００８０】
関連広告配信システム２によれば、ＦＭＣサービスが利用可能になったことを契機として利用者に利用シーンに応じた適切な情報を提示することができる。
【図面の簡単な説明】
【００８１】
【図１】本発明の第１の実施形態である関連広告配信システムの機能ブロック図である。
【図２】図１の関連広告配信システムの動作を示すフローチャートである。
【図３】利用シーン登録テーブルの一例を示す図である。
【図４】プロファイル定義テーブルの一例を示す図である。
【図５】プレゼンス管理テーブルの一例を示す図である。
【図６】時間帯パターン登録テーブルの一例を示す図である。
【図７】コンテンツ登録テーブルの一例を示す図である。
【図８】本発明の第２の実施形態である関連広告配信システムの機能ブロック図である。
【図９】図８の関連広告配信システムの動作を示すフローチャートである。
【符号の説明】
【００８２】
１、２  広告掲載システム
１０、１２  広告サーバ
１００  移動端末
１０１、２０１  実行制御部
１０２  ユーザプロファイルデータベース
１０３  契約広告登録データベース
１０４  シナリオプロファイルデータベース
１０５  プレゼンスデータベース
１０６  シナリオプロファイル選択制御部
１０７  情報収集検索条件送出部
１０８  ドキュメント編集部
１０９  編集ドキュメント記憶部
１１０  広告検索条件送出部
１１１  広告埋め込み部
１１２  広告リンク
１１３  編集ドキュメント情報配信部
１１４  インターネット
１１５  情報検索エンジン
１１６、１１７、１１８  情報ウェブ
１１９  課金処理部
１２１  情報表示部
１２２  プレゼンス情報送信部
１２３  情報収集要求送信部
１２４  参照通知送信部
１２５  情報登録部
１２６  ＦＭＣ通知送信部
１３１  利用シーン登録テーブル
１３２  プロファイル定義テーブル
１３３  プレゼンス管理テーブル
１３４  時間帯パターン登録テーブル
１３５  コンテンツ登録テーブル
２００  携帯端末
２１１  ＦＭＣ受信通知埋め込み部
【図１】
2008021042.tif 000003
【図２】
2008021042.tif 000004
【図３】
2008021042.tif 000005
【図４】
2008021042.tif 000006
【図５】
2008021042.tif 000007
【図６】
2008021042.tif 000008
【図７】
2008021042.tif 000009
【図８】
2008021042.tif 000010
【図９】
2008021042.tif 000011